Podtech/llm-jp-corpus-v4-ja_patent huggingface dataset:
(57)【要約】【課題】  本発明は、消臭や放射能の除染の目的の為に、空中に散布し、地上に拡散し土等の表面に混在したゼオライト粒子のみを、効率よく集め回収することを課題とする。【解決手段】  空中散布するゼオライト粒子を、あらかじめ磁気や静電気に吸着する物質と一体化（合体）した磁気や静電気に吸着するゼオライトを作り散布し、地上にちらばり土等と混在した磁気や静電気に吸着するゼオライトを、強力な電磁石や静電気発生機械により吸着集塵することを特徴とする。  ゼオライト粒子と磁気に吸着する鉄粉や、静電気に吸着するプラスチック等と、ゼオライト粒子を一体化（合体）する方法としては、鉄粉やプラスチックの粒とゼオライトの粉末を造粒し、常温では溶けない細かいペレットにする方法等、いくつか考えられる。【特許請求の範囲】
【請求項１】
磁気や静電気に吸着する物質（１）とゼオライトの粒子（２）を一体化（合体）し、常温では溶けない細かいペレットや顆粒にしたことを特徴とする、磁気や静電気に吸着するゼオライト。
【発明の詳細な説明】
【技術分野】
【０００１】  本発明は、悪臭や放射能の除去の為に、地上にばらまいたゼオライトの粒子のみを集塵する為に、ばらまくゼオライトを鉄粉など磁気や静電気に吸着する物質と一体化（合体）させた、磁気や静電気に吸着するゼオライトを使用することで、地上に散らばった磁気や静電気に吸着するゼオライトのみを、磁気や静電気で吸着出来るようにした事に関する。
【背景技術】
【０００２】  従来ゼオライトの粒子を、アスファルトやコンクリートなどの平坦な固形物の上にばらまいたのであれば、はき掃除や掃除機等で簡単にかき集められるが、草むらとか  畑  牛舎  等では、消臭や放射能除去等の目的でばらまき拡散したゼオライトの粒だけを、集めるのは大変困難であり不可能であった。
【発明の概要】
【発明が解決しようとする課題】
【０００３】    草むらや畑等で、消臭や放射能の除去等で地上にばらまかれたゼオライトを回収するには、ゼオライトの粒子と周りの土などが混在しており、ゼオライトのみを集めるのは困難で、どうしても周りの草や土も一緒に削り取らなければならず、回収しようとするゼオライトの量以上に、余分な廃棄物を集めるようになり、大変な労力を必要としていた、本発明は地上にちらばり周りの土などの上に混在した中から、ゼオライトの粒子のみを回収することを課題とする。
【課題を解決するための手段】
【００４】  地上に拡散し土や草等と混在した中から、ゼオライトのみを回収する為に、ばらまき拡散したゼオライトが磁気に吸着するように、磁気に吸着する鉄粉等と、一体化（合体）したゼオライトの微粒子を作り（以下  磁気や静電気に吸着するゼオライトとする）、地上にばらまいた磁気や静電気に吸着するゼオライトを、強力な電磁石で吸着して集めることを特徴とする。【００５】又、静電気に吸着する物質をゼオライトと一体化（合体）させ、強力な静電気で磁気や静電気に吸着するゼオライトを吸着し回収することもできる。
【発明の効果】
【００６】  磁気や静電気に吸着する物質と一体化（合体）したゼオライト、磁気や静電気に吸着するゼオライトを使用することにより、地上にちらばり拡散した磁気や静電気に吸着するゼオライトと、それに付随して、どうしても吸着してしまう他の少しの吸着物（従来の土壌に含まれている鉄分等）のみを集めることが出来る為、【００７】悪臭や放射能の除去の為に拡散しちらばった磁気や静電気に吸着するゼオライトを、強力な電磁石などで吸着し集塵すれば、悪臭や除染の効率が向上し、又磁気や静電気に吸着するゼオライトを中心に吸着集塵する為、余分な廃棄物を回収することが少なくなり、無駄な労力を軽減することが可能となる。
【図面の簡単な説明】
【００８】
【図１】本発明の一例図
【発明を実施するための形態】
【実施例１】
【００９】  本発明の実施例について、全体の粒子の中の一粒を拡大し、図面を引用して説明する。磁気や静電気に吸着する物質（１）と、ゼオライトの粒子（２）を、ペレットを作る造粒技術等により一体化（合体）したものである。【００１０】  本発明の磁気や静電気に吸着するゼオライトの実際の構成は、図１で示した粒が無数に集合したものである。
【産業上の利用可能性】
【００１１】本発明の磁気や静電気に吸着するゼオライトは、肥料などをペレットにする造粒技術や、複写機のトナーを作る技術等で工業生産が可能であり、広範囲の消臭や放射能の除染に利用できるものである。
【符号の説明】
【００１２】１  磁気や静電気に吸着する物質
２  ゼオライトの粒子
【図１】
2013154339.tif 000002
(57)【要約】【課題】立て看板等の手書き情報は、目の前の人にしか情報を伝達できない。【解決手段】看板等の手書き情報を画像データ化することで、情報通信網を介した配信を実現する。手書き情報の画像データ化には、携帯電話等のカメラ付携帯通信端末を用いる。カメラ付携帯通信端末で手書き看板を撮影、その撮影データを配信用サーバへ転送する。配信用サーバからは、ＰＣや携帯電話等の情報閲覧端末へ、撮影データを画像ファイルとして配信する。【選択図】図１
2013145352.tif 000002
【特許請求の範囲】
【請求項１】
カメラ付携帯情報通信端末で手書き看板を撮影し、情報通信網を介して、撮影データを画像データとして配信する仕組み。
【発明の詳細な説明】
【技術分野】
【０００１】本発明は、情報伝達に関するものである。
【背景技術】
【０００２】従来、手書きの看板は店舗前や街路、路地などに設けて通行人に店舗や企業などの情報をＰＲ、案内するための物である。
【発明の概要】
【発明が解決しようとする課題】
【０００３】立て看板等の手書き情報は、目の前の人にしか情報を伝達できない。
【課題を解決するための手段】
【０００４】手書き看板を撮影して、静止画データを作成することで、情報通信網を利用した遠隔地への配信を実現する。また静止画データの作成に用いる機器として、携帯電話等のカメラ付携帯情報通信端末を用いることで、新たに専用装置を導入することなく撮影から配信までを簡易な作業で実現する。
【発明の効果】
【０００５】手書きの立て看板等には書き手により情緒があり、電子化過程において文字情報への変換を行わず、撮影データを画像ファイルとして配信することで、手書き情報のオリジナリティを活かすことができる。
手書きの立て看板等をそのまま利用でき、商店等の情報発信者に対する費用的負担が少ない。また撮影して送るだけという簡易さゆえ、より作業回数を重ねても負担にならず、鮮度の高い情報を広く配信することができる。
【図面の簡単な説明】
【０００６】手書き看板の撮影から情報配信までの手順を、▲１▼〜▲３▼として図面に示す。
▲１▼携帯電話等のカメラ付携帯通信端末で手書き看板を撮影する。
▲２▼撮影データを、携帯情報通信端末から配信用サーバへ送信する。
▲３▼配信用サーバから、ＰＣや携帯電話等の情報閲覧端末へ、撮影データを画像ファイルとして配信する。
【図１】手順▲１▼〜▲３▼を示す図である。
【発明を実施するための形態】
【０００７】実施において、次のものが必要となる。
手書き看板、カメラ付携帯情報通信端末、情報通信網、配信用サーバ。
なお、カメラ付携帯情報通信端末は、情報通信網を通じて配信用サーバに対し、情報通信ができること。また配信用サーバは、情報通信網を通じて情報閲覧端末に対し、情報通信ができることが前提。
【産業上の利用可能性】
【０００８】日替わりメニューなど手書き看板を用いて発信していた情報を、より広く配信でき、来客支援に繋がる。
【図１】
2013145352.tif 000003
(57)【要約】【課題】既存のスマートフォンは、デザインが画一化され、他人の持つスマートフォントの差別化が難しい。差別化のために裏面にケースを装着する場合もあるが、重量が増えてしまう。また、片面しか使用できないスマートフォンでは裏面からのタッチセンサによる入力インタフェースが使用できない。そこで本発明では裏・表両面が使用できるスマートフォンを提案する。【解決手段】本発明は、スマートフォンの表・裏の両面にタッチセンサのディスプレイを配することにより上記課題を解決する。【選択図】図１、図２、図３
2013145543.tif 000002
【特許請求の範囲】
【請求項１】
スマートフォンの背面にタッチセンサが使用できる表面と同様の画面を配置し、裏・表の２面が同時に使用できるスマートフォン。これにより裏面は壁紙やスクリーンセーバとして使用したり、新しい形態の入力インタフェースとして活用することが可能となる。（図１）
【請求項２】
請求項１に関連し、表面の画面表示がＡ、裏面の画面表示がＢと仮定した場合、裏面と表面をひっくり返した場合にセンサが働き、上になる画面は常に画面Ａが表示され、下になる画面は常に画面Ｂとなる機能を持つスマートフォン。（図２）
【請求項３】
請求項２に関連し、表面から裏面へひっくり返す方向を記憶するセンサを有するスマートフォン。例えば表面から裏面へ右回転でひっくり返す際に、上になる画面がＡ→Ｂ→Ｃと変わる場合、Ａ→Ｂの次に左回転でひっくり返す場合は再度Ａが表示される。（図３）
【発明の詳細な説明】
【技術分野】
【０００１】本発明は、両面が使用できるスマートフォンに関するものである。
【背景技術】
【０００２】従来のスマートフォンは表面にタッチスクリーンを配し、裏面は筐体となっているため、裏面は入力デバイスやスクリーンセーバとして使用できない。このため、概観としても他人のスマートフォンとの差別化を図ることが難しい。また差別化のために裏面にケースを装着する場合は重量が増えてしまう。
【先行技術文献】
【特許文献】
【特許文献】なし
【非特許文献】
【非特許文献】なし
【発明の概要】
【発明が解決しようとする課題】
【０００３】解決しようとする問題点は、現在市場で供給されているスマートフォンは表面にタッチスクリーンを配し、裏面は筐体となっているため、裏面は入力デバイスまたはスクリーンセーバ・壁紙として使用できない。
【課題を解決するための手段】
【０００４】本発明は、スマートフォンの表・裏の両面にタッチセンサのディスプレイを配することを特徴とする。
【発明の効果】
【０００５】本発明のスマートフォンは表・裏の両面とも区別無く使用できる。これにより裏面にはスクリーンセーバや壁紙を表示するようにして他のスマートフォントの差別化を図ったり、裏面を入力インタフェースとして使用することができたり、ゲームやアプリケーションに新しい動きを取り入れることが可能となる。
【図面の簡単な説明】
【０００６】
【図１】裏・表（おもて）面が同時に使用できるスマートフォンを示した図である。
【図２】ひっくり返した場合の画面推移イメージを示した図である。
【図３】ひっくり返す方向を検知した画面推移の例を示した図である
【発明を実施するための形態】
【０００７】図面を参照しながら本発明の実施の形態を説明する。図１は本発明の基本的な構成を示しており、スマートフォンの背面に表面と同じタッチセンサのディスプレイが配置されている。さらに図３に示すセンサを搭載されている。
【実施例】
【０００８】本発明の両面が使用できるスマートフォンにおいて、背面には壁紙やスクリーンセーバとして広告を表示し、表（おもて）面ではウェブブラウジングなどスマートフォン利用者の利用形態にあわせたアプリケーションを表示することができる。表（おもて）面にて文章入力が必要となった場合は、背面を仮想キーボードとしてスマートフォンから手を離さずに両手入力を可能とする。
【産業上の利用可能性】
【０００９】上記裁量の形態を備えている場合は以下の使用法が可能となる。
・裏面を表面で使用するメールの文字入力やアプリケーションソフトへの入力インタフェースとして使用できる。
・裏面をスクリーンセーバや壁紙として使用することができる。
・裏面を広告画面として使用することができる。（ネットワーク機能により内容が変化することも想定。）
・ゲームやアプリケーションソフトに新しい動きを追加することができる。
例えば電子書籍ソフトのページをめくる方法の１つとして、裏表をひっくり返すことによりページを切り替えることが可能となる。
・他人に入力を背面から協力してもらうことが可能。
例えば、子供が表面で漢字を書く練習するアプリケーションがある場合に、裏面から親が書き順をチェックしたり、手本を入力することにより子供が正しい書き順をなぞることができる。
【符号の説明】なし
【受託番号】なし
【配列表フリーテキスト】なし
【図１】
2013145543.tif 000003
【図２】
2013145543.tif 000004
【図３】
2013145543.tif 000005
(57)【要約】      （修正有）【課題】スマートフォンから両手を離すことなく文字入力を迅速に行うことができるインタフェースを提供する。【解決手段】スマートフォンを持ったままパソコンと同様に長文入力を迅速に行える手法を実現するために、スマートフォンの背面に文字入力のインタフェースを備える。スマートフォンの背面に、背面タッチセンサーによる仮想キーボード又は物理キーボードを配置する。背面のキーボードと連動して、スマートフォンの表面に、どのキーがタッチされているかを可視化する。さらに、表面にシフトキー等に相当する補助キーを配置する。スマートフォンを両手で持ち、裏面のキーボードを親指以外の４本の指で、表面の補助キーを親指で操作することにより、スマートフォンでもパソコンと同様に長文を迅速に入力することが可能となる。【選択図】図１
2013145542.tif 000002
【特許請求の範囲】
【請求項１】
スマートフォンの背面タッチセンサーによる背面に仮想キーボードを配した入力インタフェース。これによりスマートフォン本体から手を離さずに両手でタッチタイピングが可能となる。（図１）
【請求項２】
請求項１の機能をスマートフォンの背面に物理キーボードを配置することにより実現する機器。（図２）
【請求項３】
請求項１と連動してスマートフォンの表（おもて）面に、背面の仮想キーボードを表示してどのキーをタッチしているのかを可視化する機能。（図３）
【請求項４】
請求項１と連動して、スマートフォンの表（おもて）面にもシフトキーなどに相当するキーを仮想的に配置または物理キーを配置し、裏面の仮想キーと組み合わせて文字入力をより容易にする機能（図４）
【発明の詳細な説明】
【技術分野】
【０００１】本発明は、スマートフォンの背面に文字入力インタフェースを配した機能または機器に関するものである。
【背景技術】
【０００２】従来のスマートフォンなどのデバイス上のアプリケーションやソフトウェアに文字入力を行う場合、スマートフォンの画面上に表示されるＱＷＴＹキーなどの仮想キーボードやテンキー入力インタフェース、または物理的なキー入力装置を介して文字入力を行うのが一般的であるが、タッチタイピングにより迅速に文字入力を行いたい場合は、いずれの方法も両手で入力を行うためにはスマートフォンから手を離し、机や膝の上に置いて入力を行う必要がある。病院やベッドで寝ながらの入力も両手で入力することは補助器具無しでは不可能である。
また、片手入力の為のインタフェースも用意されていることが多いが、迅速に打つことや長文を打つことが困難である。
これまではスマートフォンから手を離さずに入力するインタフェースが実現されていない。
【先行技術文献】
【特許文献】
【特許文献】なし
【非特許文献】
【非特許文献】なし
【発明の概要】
【発明が解決しようとする課題】
【０００３】解決しようとする問題点は、現在市場で供給されているスマートフォンは高機能化し入力する内容も多様化するにもかかわらず、入力方法としては迅速または長文の入力に向いていない。長文の入力を要する場合は、机や膝の上に置いてスマートフォン上の仮想キーボードに向かって打つ必要がある。このため長文入力が必要な場合はパソコンから、短文入力で済むような場合はスマートフォンを使用するといった使い分けが必要な場合も発生するという問題もある。
【課題を解決するための手段】
【０００４】本発明は、スマートフォンを持ったままパソコンと同様に長文入力を迅速に行える手法を実現するために、スマートフォンの背面に文字入力のインタフェースを持つことを特徴とする。
【発明の効果】
【０００５】本発明のスマートフォンの文字入力インタフェースにより、スマートフォンから手を離すことなく長文の文字入力を迅速に行うことができる利点がある。
【図面の簡単な説明】
【０００６】
【図１】背面に仮想キーボードを有するスマートフォンの基本構成を示した図である。
【図２】背面に物理キーボードを有するスマートフォンの基本構成を示した図である。
【図３】表（おもて）面に裏面の仮想キーボードを表示した利用法を示した図である
【図４】表（おもて）面に裏面の仮想キーボードと補助キーを表示した利用法を示した図である
【発明を実施するための形態】
【０００７】図面を参照しながら本発明の実施の形態を説明する。図１は本発明の基本的な構成を示しており、スマートフォンの背面にタッチセンサが付属または両面が使用可能なスマートフォンとなっている。
図３は、図１に連動した仮想キーボード配置をスマートフォンの表（おもて）面に表示することにより、どのキーをタッチすべきかおよびタッチしたキーがわかるようにするためのキーボードを表示する機能である。図３ではＱＷＴＹキーをパソコンでタッチタイピングする場合と同じようにスマートフォンを両手で持ち、裏面でタッチタイピングできるようにキー配置を考慮したものである。これにより、スマートフォンを両手で持つ場合は、必ず人差し指が上、小指が一番下になるという姿勢においてもパソコンと変わらない入力方法が実現できる。
さらに図４は、スマートフォンを両手で持つ場合は親指が表（おもて）面になる性質から、表（おもて）面にＳｈｉｆｔ・Ｓｐａｃｅ・Ｔａｂキーなど裏面のキーと組み合わせると便利な補助的なキーを配したものである。
上記図１、図３、図４の組み合わせによりスマートフォンでもパソコンと同様に長文を迅速に入力することが可能となる。
【実施例】
【０００８】スマートフォンを両手で持ち裏面の仮想キーボードを親指以外の４本の指で、及び、表（おもて）面の補助キーを親指で入力することによりスマートフォンでもパソコンと同様に長文を迅速に入力することが可能となる。
【産業上の利用可能性】
【０００９】スマートフォンへの文字入力方法として活用することが可能である。また、病院などで寝たままでも両手が使用できればキー入力を行うのが容易となる。
【符号の説明】なし
【受託番号】なし
【配列表フリーテキスト】なし
【図１】
2013145542.tif 000003
【図２】
2013145542.tif 000004
【図３】
2013145542.tif 000005
【図４】
2013145542.tif 000006
(57)【要約】【課題】商品価値が無く廃棄される果物、野菜、穀物やその茎葉を電極、電解液又はセパレーターとして用い、安価、安全且つ実用レベルまで発電効率を高めた一次、二次及び燃料電池を作成する方法。【解決手段】電極及び電解質にＣＮＴを混合することで伝導性及び起電率を高め、高発電効率を実現した。【選択図】図１
2013145629.tif 000002
【特許請求の範囲】
【請求項１】
果物、野菜、穀物やその茎葉、その他乳製品など身近なものを材料とし、ＣＮＴを添加することで起電力を高めた一次、二次及び燃料電池。
【請求項２】
ＣＮＴを混合することで起電力を高め、蓄電池としても使用可能な電圧を得られるよう工夫した一次、二次及び燃料電池。
【請求項３】
果物、野菜、穀物やその茎葉などのしぼり汁や、乾燥・粉砕してマイクロ〜ナノサイズのパウダー状にしたものにＣＮＴを混合したものを電解質として用いた一次、二次及び燃料電池。
【請求項４】
請求項３で挙げたＣＮＴ混合パウダーに水又は希酸を加え、ゲル状又はコロイド状にしたものを電解質として用いた一次、二次及び燃料電池。
【請求項５】
請求項１〜４で作製した蓄電池を太陽光、風力又は水力発電機と組み合わせることによって環境配慮型エネルギーとして利用できるようにしたもの。
【発明の詳細な説明】
【技術の分野】
【０００１】商品価値が無く廃棄される果物、野菜、穀物やその茎葉を電極、電解液又はセパレーターとして用い、これにカーボンナノチューブ（ＣＮＴ）を混合することで発電効率を高めた一次、二次及び燃料電池を作成する方法。
【背景技術】
【０００２】もっとも単純な一次電池の形態としては、いわゆるボルタ電池やダニエル電池が挙げられる。【０００３】これは電極に亜鉛やアルミニウム（負極）、銅（陽極）といった金属、電解液として希硫酸や希塩酸、セパレーターとして陶器やゲル等を用い、電極に生じた電位差を利用して放電する仕組みである。【０００４】また、電解液としてレモン等の身近なものを用いたものが、実験用教材として供されているほか、グルコース等の炭水化物を分解することで電子を取り出し、放電するいわゆるバイオ電池の開発も進んでいる。
【先行技術文献】
【特許文献】
【０００５】
【特許文献１】出願番号２００９−１１７０１２
【発明の概要】
【発明が解決しようとする課題】
【０００６】安全に使用できる、身近なものを用いた電池を製造することは可能であるが、得てして発電効率が低く実用的ではない。
【課題を解決する為の手段】
【０００７】電極としてＣＮＴを混合した導電材（出願番号２００９−１１７０１２）を用いることで起電力を高め、発電効率を向上させることが出来る。
【０００８】電解液として果物、野菜、穀物やその茎葉のしぼり汁等にＣＮＴを均一になるよう混合したものを用いることでより発電効率を高めることが出来る。
【０００９】また、蒟蒻や寒天等ゲル状物質を用いればＣＮＴを長期間均一分散することが出来る上、液こぼれの恐れも無くなるため効果的である。
【００１０】また電解質の原料としては、動物の排泄物や食品糟等、通常廃棄されるものでもＣＮＴを混合することで利用可能となる。
【発明の効果】
【００１１】上記の方法で得た電池は硫酸や塩酸、また鉛といった物質を用いないため安全かつ安価であり、実用に足る発電効率を達成することが出来る。
【００１２】原理としては酸化還元反応を利用した単純な仕組みであり、電流を流すことによって可逆的に充電すること、すなわち二次電池（バッテリー）として使用することも出来る。
【図面の簡単な説明】
【００１３】図１は、本発明による一次電池の概略図である。【００１４】図２は、実際に作成した電池の写真である。
【発明を実施するための形態】
【００１５】陰極にアルミホイル、陽極に活性炭、電解質としてＣＮＴを混合した蒟蒻に岩塩を加えたものを用いた図２の電池の場合、充電前には０．７５〜１．００Ｖの放電が見られた。
【００１６】また、この電池にＤＣ１２Ｖで５分間充電を行うと、２〜３Ｖで１時間以上の放電し、充電を繰り返すことで何度でも使用可能である。
【００１７】このようにして作製した蒟蒻成分を用いた電池をマンナン電池と呼称する。
【産業上の利用可能性】
【００１８】身近な物質、特に果物や野菜といった農作物を材料とし、安全かつ容易に作成が可能であるため、農業用機器や公共物の電源又蓄電池としての利用が考えられる。【００１９】太陽光・水力・風力発電機と組み合わせて蓄電池として用いることで環境にも優しい電源としての利用が可能である。
【図１】
2013145629.tif 000003
【図２】
2013145629.tif 000004
(57)【要約】【課題】身近なものを電解質として用い、安価、安全且つ実用レベルまで発電効率を高めた一次、二次及び燃料電池を作成する方法。【解決手段】電解質として植物又は動物性の微粉末を水、無機又は有機溶媒と混合して半固形状にしたものを用いることにより、水分の蒸発と分極を防ぎ、発電効率を高めることが可能となる【選択図】図１
2013145630.tif 000002
【特許請求の範囲】
【請求項１】
植物又は動物性の微粉末を水、無機又は有機溶媒と混合して半固形状にしたものを電解質として使用した一次、二次及び三次電池。
【請求項２】
請求項１の電解質を使用することで分極を防ぎ、発電効率を高めた一次、二次及び燃料電池。
【請求項３】
請求項１の電解質を使用することで液漏れを防ぎ、安全性を高めた一次、二次及び燃料電池。
【請求項４】
請求項１の電解質にＣＮＴを混合し、起電力を高めた一次、二次及び燃料電池。
【請求項５】
請求項１〜４の電解質にアルミや鉄（負極）、銅や活性炭（正極）といった身近なものを電極として用いた一次、二次及び燃料電池。
【請求項６】
請求項１〜５で作製した蓄電池を太陽光、風力又は水力発電機と組み合わせることによって環境配慮型エネルギーとして利用できるようにしたもの。
【発明の詳細な説明】
【技術の分野】
【０００１】本発明は、植物又は動物性の微粉末を水、無機又は有機溶媒と混合して半固形状にしたものを電解質として使用した一次、二次及び三次電池に関するものである。
【背景技術】
【０００２】もっとも単純な一次電池の形態としては、いわゆるボルタ電池やダニエル電池が挙げられる。【０００３】これは電極に亜鉛やアルミニウム（負極）、銅（陽極）といった金属、電解液として希硫酸や希塩酸、セパレーターとして陶器やゲル等を用い、電極に生じた電位差を利用して放電する仕組みである。【０００４】また、電解液としてレモン等の身近なものを用いたものが、実験用教材として供されているほか、グルコース等の炭水化物を分解することで電子を取り出し、放電するいわゆるバイオ電池の開発も進んでいる。
【発明の概要】
【発明が解決しようとする課題】
【０００６】安全に使用できる、身近なものを用いた電池を製造することは可能であるが、得てして発電効率が低く実用的ではない。
【課題を解決する為の手段】
【０００７】電解質として植物又は動物性の微粉末を水、無機又は有機溶媒と混合して半固形状にしたものを用いることにより、水分の蒸発と分極を防ぎ、発電効率を高めることが可能となる。
【０００８】具体的な材料としては、野菜、果物、穀物、茎葉、海藻、珊瑚、骨粉などが挙げられ、特に水分に富み、入手が容易な蒟蒻や寒天が良い。
【発明の効果】
【０００９】上記の方法で得た電池は硫酸や塩酸、また鉛といった物質を用いないため安全かつ安価であり、実用に足る発電効率を達成することが出来る。
【００１０】原理としては酸化還元反応を利用した単純な仕組みであり、電流を流すことによって可逆的に充電すること、すなわち二次電池（バッテリー）として使用することも出来る。
【００１１】また、電解液を半固形にすることにより、液こぼれの恐れも無いため安全に取り回しが可能である。
【図面の簡単な説明】
【００１２】
【図１】本発明による一次電池の概略図である。
【００１３】
【図２】実際に作成した電池の写真である。
【発明を実施するための形態】
【００１４】陰極にアルミホイル、陽極に活性炭、電解質として蒟蒻に岩塩を加えたものを用いた図２の電池の場合、充電前には０．７５〜１．００Ｖの放電が見られた。
【００１５】また、この電池にＤＣ１２Ｖで５分間充電を行うと、２〜３Ｖで１時間以上の放電し、充電を繰り返すことで何度でも使用可能である。
【００１６】このようにして作製した蒟蒻成分を用いた電池をマンナン電池と呼称する。
【産業上の利用可能性】
【００１７】身近な物質、特に果物や野菜といった農作物を材料とし、安全かつ容易に作成が可能であるため、農業用機器や公共物の電源又蓄電池としての利用が考えられる。【００１８】太陽光・水力・風力発電機と組み合わせて蓄電池として用いることで環境にも優しい電源としての利用が可能である。
【図１】
2013145630.tif 000003
【図２】
2013145630.tif 000004
(57)【要約】【課題】身近なものを電解質として用い、安価、安全且つ実用レベルまで発電効率を高めた二次電池を作成する方法。【解決手段】海水を始めとする天然に存在する水と、これに無機又は有機物を含む土砂を混合したもの、言い換えれば海洋や河川、池沼といった天然又は人工的に存在する水溜りを、そのまま二次電池の電解液として利用する。【選択図】図１
2013145632.tif 000002
【特許請求の範囲】
【請求項１】
水に岩塩を溶かしたものを電解液として用いた二次電池。
【請求項２】
海洋、河川、湖沼、池などから汲み上げた天然の水をそのまま電解液として用いた二次電池。
【請求項３】
海水と海砂など、請求項２の天然水に同環境上の土砂、泥及びこれに含まれる無機物又は有機物を混合したものを電解液として用いた二次電池。
【請求項４】
請求項２又は３の原理により、天然の海洋、河川、湖沼、池などをそのまま蓄電池として利用したもの。
【請求項５】
請求項１〜４の二次電池のサイズ又は接続数を可変させることによって任意の電流電圧を供給する変電システム
【請求項６】
地球そのものを蓄電池として利用したもの。
【請求項７】
請求項１〜６によって蓄電され、供給される電力。
【発明の詳細な説明】
【技術の分野】
【０００１】海水と砂といった天然物質を電解液として用いた二次電池、及びこれと太陽光、風力又は水力発電と組み合わせた電力供給システムに関する発明である。
【背景技術】
【０００２】もっとも単純な電池の形態としては、いわゆるボルタ電池やダニエル電池が挙げられる。【０００３】これは電極に亜鉛やアルミニウム（負極）、銅（陽極）といった金属、電解液として希硫酸や希塩酸、セパレーターとして陶器やゲル等を用い、電極に生じた電位差を利用して放電する仕組みである。
【発明の概要】
【発明が解決しようとする課題】
【０００４】安全に使用できる、身近なものを用いた電池を製造することは可能であるが、得てして発電効率が低く実用的ではない。【０００５】また、一般的には、上記のような原理の電池は、二次電池（蓄電池）としての利用は不可能であると考えられてきた。
【課題を解決する為の手段】
【０００６】電極の素材としては、導電性で、両極間のイオン化傾向の差が大きいものであれば何でもよいが、本発明では入手難度を鑑み、アルミホイル（陰極：イオン化傾向大）と木炭（陽極：イオン化傾向小）を用いた。
【０００７】電解液としては、イオン溶液であれば何でもよいが、コストが掛からず、且つ様々なミネラルや金属イオンを含む海水が推奨される。
【０００８】さらに、海水に海の砂を混合させるとミネラルや金属イオンが補充され、且つ水の蒸発を防ぐ効果があるため、蓄電効率が向上する。
【発明の効果】
【０００９】上記の方法で得た電池は必要な材料はアルミホイルと木炭、及び海水だけなので従来のリチウム、銀、ニッケルを用いた電池と比べてはるかに安価で、入手・作成が非常に容易である。
【００１０】そのため、電極や電解質のサイズを大きくしたり、複数のユニットを直列に繋ぐことで供給される電力及び電圧を容易に増加させることが出来る。
【００１１】また、酸やアルカリ、鉛やカドミウムといった物質を用いないため安全で、環境にも優しい。
【図面の簡単な説明】
【００１２】
【図１】は、本発明による二次電池の概略図である。
【発明を実施するための形態】
【００１３】陰極にアルミホイル、陽極に備長炭、電解質として海水に浜辺の砂を加えたものを用いた図１の電池の場合、充電前には０．４〜０．７Ｖの放電が見られた。
【００１４】この電池にＤＣ１２Ｖで１０分間充電を行うと、最大２．６７Ｖの放電が起こり、定格１．５ＶのＬＥＤランプ２個が２時間以上点灯した。
【００１５】また、電解液又は電極にカーボンナノチューブを混合することにより起電力が増し、発電及び蓄電効率が向上することがわかった。
【産業上の利用可能性】
【００１６】コストが低く、入手・作成が容易であり、農業用、工業用、家庭用など従来型の全ての畜電池に代わって利用することが出来る。【００１７】太陽光・水力・風力発電機と組み合わせて蓄電池として用いることで環境にも優しい電源としての利用が可能である。【００１８】本発明に於ける蓄電池の電解液の素材は、海水の他、河川、湖沼、地下水、貯池、上下水道、など、天然又は人工的に存在する水なら何でもよく、これに同じ環境下にある土、砂、泥及びそれらに含まれる無機物又は有機物を加えることによって蓄電効率を向上させることが出来る。【００１９】このため、原理的には天然の海洋、河川、湖沼、池などをそのまま蓄電池として利用することも可能であり、言い換えれば地球そのものを蓄電池と捉えることも出来る。【００２０】電流・電圧量は、電極や電解質の体積及び直列に接続された電池のユニット数に比例するため、これらの値を変化させることで任意の値に昇圧及び降圧が可能である。【００２１】充電することによって何度でも起電力が回復し、繰り返しの使用が可能となるため、コストや資源を節減することが出来る。
【図１】
2013145632.tif 000003
(57)【要約】【課題】身近なものを電解質として用い、安価、安全且つ実用レベルまで発電効率を高めた二次電池を作成する方法。【解決手段】海水を始めとする天然に存在する水と、これに無機又は有機物を含む土砂を混合したもの、言い換えれば海洋や河川、池沼といった天然又は人工的に存在する水溜りを、そのまま二次電池の電解液として利用する。【選択図】図１
2013145633.tif 000002
【特許請求の範囲】
【請求項１】
水に岩塩を溶かしたものを電解液として用いた電池及び蓄電器。
【請求項２】
海洋、河川、湖沼、池などから汲み上げた天然の水をそのまま電解液として用いた電池及び蓄電器。
【請求項３】
請求項２の天然水に同環境上の土砂、泥及びこれに含まれる無機物又は有機物を混合したものを電解液として用いた電池及び蓄電器。
【請求項４】
請求項２又は３の原理により、天然の海洋、河川、湖沼、池などをそのまま蓄電池として利用したもの。
【請求項５】
地球そのものを電池及び蓄電器として利用したもの。
【請求項６】
請求項１〜５の蓄電器に、太陽光、風力、水力といったクリーンエネルギー発電機を組み合わせた電力供給システム。
【請求項７】
請求項１〜６によって蓄電され、供給される電力。
【発明の詳細な説明】
【技術の分野】
【０００１】海水と砂といった天然物質を電解液として用いた電池及び蓄電器、及びこれと太陽光、風力又は水力発電と組み合わせた電力供給システムに関する発明である。
【背景技術】
【０００２】もっとも単純な電池の形態としては、いわゆるボルタ電池やダニエル電池が挙げられる。【０００３】これは電極に亜鉛やアルミニウム（負極）、銅（陽極）といった金属、電解液として希硫酸や希塩酸、セパレーターとして陶器やゲル等を用い、電極に生じた電位差を利用して放電する仕組みである。
【発明の概要】
【発明が解決しようとする課題】
【０００４】安全に使用できる、身近なものを用いた電池を製造することは可能であるが、得てして発電効率が低く実用的ではない。【０００５】また、一般的には、上記のような原理の電池は、二次電池（蓄電池）としての利用は不可能であると考えられてきた。
【課題を解決する為の手段】
【０００６】電極の素材としては、導電性で、両極間のイオン化傾向の差が大きいものであれば何でもよいが、本発明では入手難度を鑑み、アルミ（陰極：イオン化傾向大）と炭素（陽極：イオン化傾向小）を用いた。
【０００７】電解液としては、イオン溶液であれば何でもよいが、コストが掛からず、且つ様々なミネラルや金属イオンを含む海水が推奨される。
【０００８】さらに、海水に海の砂を混合し電極を埋め込むことで、放電に必要なミネラルや金属イオンが補充され、発電効率が向上する。
【０００９】上記の電池に外部から電圧を加えると、海砂によって電極から発生する水素の空気中への放散が妨げられ、海砂中に水素イオンが蓄積されるため、充電が可能となる。
【発明の効果】
【００１０】上記の方法で得た電池は必要な材料はアルミホイルと木炭、及び海水だけなので従来のリチウム、銀、ニッケルを用いた電池と比べてはるかに安価で、入手・作成が非常に容易である。
【００１１】そのためサイズや容量を大きくして実用に足る発電量を稼ぐことが出来る。
【００１２】また、酸やアルカリ、鉛やカドミウムといった物質を用いないため安全で、環境にも優しい。
【図面の簡単な説明】
【００１３】
【図１】は、本発明による充電式電池の概略図である。
【発明を実施するための形態】
【００１４】筒状のアルミ（負極）と炭素（正極）を同心円状に複数層重ね合わせ、地中に打ち込みやすくするために、下方先端を尖らせたもの。
【産業上の利用可能性】
【００１５】コストが低く、入手・作成が容易であり、農業用、工業用、商業用、家庭用、乗り物用、災害時用など、従来型の全ての畜電器に代わって利用することが出来る。【００１６】太陽光・水力・風力発電機と組み合わせて蓄電器として用いることで環境にも優しい電源としての利用が可能である。【００１７】本発明に於ける蓄電池の電解液の素材は、海水の他、河川、湖沼、地下水、貯池、上下水道の他田畑、砂漠、塩田、塩水湖、岩塩山などでも、天然又は人工的に存在する水なら何でもよく、これに同じ環境下にある土、砂、泥及びそれらに含まれる無機物又は有機物を加えることによって蓄電効率を向上させることが出来る。【００１８】このため、原理的には天然の海洋、河川、湖沼、池などをそのまま蓄電器として利用することも可能であり、言い換えれば地球そのものを蓄電器と捉えることも出来る。
【図１】
2013145633.tif 000003
(57)【要約】【課題】  テープカッターを使用する時は、テープを引っ張らなければならないので、片手操作用には本体に大きな重量を持たせていて、運搬や移動が面倒だし、ハンディタイプの場合は両手を使って使用しなければならなかった。【解決手段】  裏面に粘着材をつけ、上部に傘板を縦軸で突出させたゴム性粘着盤と、この傘板にスライドして嵌着できるスライド溝を下部底板に設けたテープカッターとで構成する。【選択図】図１
2013032214.tif 000002
【特許請求の範囲】
【請求項１】
床面に貼り付けるために裏面に粘着材をつけ、上部に傘板を縦軸で突出させたゴム性粘着盤と、この傘板にスライドして嵌着できるスライド溝を下部底板に設けたテープカッターとで構成するテープカッター床面固定装置。
【発明の詳細な説明】
【技術分野】
【０００１】  セロテープ用等のテープカッターを、本体を重くすることなく床面に固定させて片手で使用するための装置。
【背景技術】
【０００２】  従来、セロテープ用等のテープカッターで、片手で使用できる据え置き型は、本体に重量を持たせる形式をとっている。ハンディ型の場合は両手を使って使用している。
【発明の概要】
【発明が解決しようとする課題】
【０００３】  テープカッターを使用する時は、粘着力やカット時の抵抗力に対応したテープの引っ張り力に対抗するため、据え置き型の場合は転倒防止のためも含め、本体に大きな重量を持たせていて、運搬や移動が面倒だ。ハンディ型の場合は、重量を持たせることができないので、両手を使って使用しなければならなかった。
【課題を解決するための手段】
【０００４】  床面に貼り付けるために裏面に粘着材６をつけ、上部に傘板２を縦軸３で突出させた床面８貼り付け用のゴム性粘着盤５と、この傘板にスライドして嵌着できるスライド溝４を下部底板７に設けたテープカッター１とで構成する。嵌着後の粘着盤の位置は概ねテープカッターの前後中央付近とすれば良いが、使用時にテープカッターに掛かる力関係で決めると良い。大型テープの場合は、前後２個所に粘着盤を使っても良い。
【発明の効果】
【０００５】  床面への粘着力で本体への引っ張り力に対抗できるので、本体に重量を持たせる必要がなく、運搬等が容易になる。ゴム性粘着盤で固定しているので、斜面でも使用でき、本体に衝撃があっても緩衝でき、転倒しない。
従来、両手で使用しなければならなかったハンディ型も、机上に固定して片手で使うことができるので便利だ。もちろん、粘着盤から外せばハンディ型としても使用できる。【０００６】  粘着盤は、僅かな高さしかないので、そのまま貼り付けておいても机上作業に殆ど支障はなく、透明色にしておけば目立たない。また、不要時はゴム弾性があるので、端からめくれば床面から容易に剥がすことができる。
【図面の簡単な説明】
【０００７】
【図１】  外観側面図
【図２】  横断面図
【図３】  Ａ断面図
【発明を実施するための形態】
【０００８】  使用時は、ゴム性粘着盤を床面に貼り付け、傘板とスライド溝を合わせてテープカッターをスライドして嵌め込めば良い。傘板は、粘着盤と一体材料で製作できるが、金属や硬質プラスチック等の硬い材料で作ると着脱操作がよりスムーズになる。
【符号の説明】
【０００９】  １  テープカッター
２  傘板
３  縦軸
４  スライド溝
５  ゴム性粘着盤
６  粘着材
７  底板
８．床面
【図１】
2013032214.tif 000003
【図２】
2013032214.tif 000004
【図３】
2013032214.tif 000005
(57)【要約】【目的】本発明は電線等を結束するときに使用する簡易結束バンドで、結束バンドの固定箇所にスナップ式の固定部品を設置して簡単にバンドの結束が出来、結束バンドに表裏がないことで作業性の良いことを特徴としており、生産性の向上とコストダウンを目的としている．【構成】本発明の簡易結束バンドは円形固定用部品とホルダー及びベルトから構成されている．【選択図】図１
2013032180.tif 000002
【特許請求の範囲】
【請求項１】
結束バンドの固定箇所にスナップ式の固定部品を設置して簡単にバンドの結束が出来、結束バンドに表裏がないことを特徴とする簡易結束バンド。
【発明の詳細な説明】
【技術分野】
【０００１】本発明は結束バンドの固定箇所にスナップ式の固定部品を設置し、その構造は
碁石のような形状をした円形固定用部品がホルダーの内側に設置されている突起を乗りこえて
ホルダーの内部に押し込むことにより結束バンドが固定されるものであり、本発明の結束バンドには表裏がないので結束作業が非常に簡単になっている簡易結束バンドに関するものである。
【背景技術】
【０００２】従来、結束バンドは多くの物が出ているが、作業性が良くて扱いやすいものが少ない。
又、価格も安くないのが現状である。
【発明の開示】
【発明が解決しようとする課題】
【０００３】解決しようとする問題点は、作業性が良く、取り扱いが簡単なことを求められている点と、価格の高いことにある。
【課題を解決するための手段】
【０００４】本発明は、上記課題に鑑み案出されたもので、電線類を結束するときに結束バンドを取って結束作業をするときに、結束バンドの向きや表裏を確認しなくても作業ができることである。
スナップ式の固定部は碁石の形状をした円形固定部品をホルダーの中に押し込むだけで固定されるのでロック作業も簡単である。【０００５】さらに、価格は従来使用されている結束バンドに比較して安価なものになっている。
【作用】
【０００６】以上のように構成された本発明は製品コストは安価で、誰にでも簡単に結束作業が出来、結束スピードもはやいので、製造コストのダウンになる。
【実施例】
【０００７】本発明の実施例を図面に基ずいて説明する。【０００８】図１は本発明の簡易結束バンドの表面図である。【０００９】図２は本発明の簡易結束バンドの側面図である。【００１０】図３は本発明の簡易結束バンドの縦断面図である。【００１１】図４は本発明の簡易結束バンドの裏面図である。【００１２】図５は本発明の簡易結束バンドの碁石のような形状をした円形固定用部品の形状を示す
図４に示すＡ−Ａ断面図である。【００１３】図６は本発明の簡易結束バンドの図４に示すＢ−Ｂ断面図である。【００１４】図７は本発明の簡易結束バンドの図４に示すＣ−Ｃ断面図である。【００１５】図８は本発明の簡易結束バンドの碁石のような形状をした円形固定用部品４がホルダー６に押し込まれる前の状態を示す図である。【００１６】図９は本発明の簡易結束バンドの碁石のような形状をした円形固定用部品４がホルダー６の中に設置された突起３を乗り越えてホルダー６の中に押し込まれて、ホルダー６の中で固定して、ロックされた状態を示す図である。【００１７】本発明の簡易結束バンドはナイロン等のプラスッチク材料で作られている。
【発明の効果】
【００１８】以上のように構成された本発明の簡易結束バンドは安価で作業性の良いことで生産性を向上させてコストダウンに寄与出来ることは産業界にとって大いにプラスとなることである。
【図面の簡単な説明】
【００１９】
【図１】本実施例の簡易結束バンドの表面図である。
【図２】本実施例の簡易結束バンドの側面図である。
【図３】本実施例の簡易結束バンドの縦断面図である。
【図４】本実施例の簡易結束バンドの裏面図である。
【図５】本実施例の簡易結束バンドの碁石のような形状をした円形固定用部品の形状を示す図４に示すＡ−Ａ断面図である。
【図６】本実施例の簡易結束バンドの図４に示すＢ−Ｂ断面図である。
【図７】本実施例の簡易結束バンドの図４に示すＣ−Ｃ断面図である。
【図８】本実施例の簡易結束バンドの碁石のような形状をした円形固定用部品４がホルダー６に押し込まれる前の状態を示す図である。
【図９】本実施例の簡易結束バンドの碁石のような形状をした円形固定用部品４がホルダー６の中に設置された突起３を乗り越えてホルダー６のなかに押し込まれて、ホルダー６の中で固定して、ロックされた状態を示す図である。
【符号の説明】
【００２０】１．ずれ止め
２．ホルダーの穴
３．固定用突起
４．碁石のような形状をした円形固定用部品
５．ベルト
６．ホルダー
【図１】
2013032180.tif 000003
【図２】
2013032180.tif 000004
【図３】
2013032180.tif 000005
【図４】
2013032180.tif 000006
【図５】
2013032180.tif 000007
【図６】
2013032180.tif 000008
【図７】
2013032180.tif 000009
【図８】
2013032180.tif 000010
【図９】
2013032180.tif 000011
(57)【要約】      （修正有）【課題】従来の扇風機は部屋の温度の風しか送れなかった。扇風機の風の出口にドライアイスや氷または保冷材、凍ったペットボトルがはいった箱を吊り下げて、扇風機で冷風を送ることができるようにする。【解決手段】冷風扇風機の部品であって、吊り金具を４段備え、１から３段目の吊り金具には凍らせたペットボトルやドライアイスや凍らせた保冷剤をのせ、４段目の吊り金具にはしずくを受け止める水受けとする箱をのせたことを特徴とする、冷風扇風機の部品。【選択図】図１
2013032760.tif 000002
【特許請求の範囲】
【請求項１】
扇風機に小箱を載せるつり金具を３段か４段取り付け１から３段目までに氷ドライアイス又はペットボトルを凍らせたもの又は保冷材を凍らせたものを乗せる、４段目は水受けとする、扇風機を運転させ冷風を送る
冷風扇風機。
【発明の詳細な説明】
【技術分野】
【０００１】本発明は、扇風機の風を冷風に変える冷風扇風機に関するものである。
【背景技術】
【０００２】従来、扇風機は部屋の温度の風しか送れなかった
【発明の開示】
【発明が解決しようとする課題】
【０００３】  そのために、次のような問題点があった。
（イ）扇風機は部屋の温度の風しか送れなかった
本発明は以上の問題点を解決しようとするものである
【課題を解決するための手段】
【０００４】  扇風機の風の出口にドライアイスや氷または保冷材、凍ったペットボトルがはいった箱を吊り下げて
冷風を送る。以上を特徴とする冷風扇風機である。
【発明の効果】
【０００５】本発明は、簡単に扇風機の風を冷風に変えることが出来る
【発明を実施するための最良の形態】
【０００６】以下、本発明の実施の形態を説明する。
（イ）扇風機に４段の吊り下げ金具（１）を取り付ける
（ロ）１から３段目までに氷やドライアイス又は保冷剤，凍ったペットボトルが入ったった小箱を吊り下げる。
（ハ）扇風機を運転させる。
（ニ）本発明は、以上の構成よりなっている。
本発明を使用する時には、つり下金具に  １から４段に小箱を取り付ける
氷やドライアイス又は保冷剤、凍らせたペットボトルを３段目まで入れる
４段目でしずくを受け止める
扇風機を運転させ冷風をおくる。
【図面の簡単な説明】
【０００７】
【図１】  本発明の斜視図
【図２】  本発明の分解斜視図
【符号の説明】
【０００８】１  つり金具
２  氷、ドライアイス、凍ったペットボトル、保冷剤を入れる箱
３  水受けようの箱
４  扇風機
【図１】
2013032760.tif 000003
【図２】
2013032760.tif 000004
【手続補正書】
【提出日】平成24年8月5日(2012.8.5)
【手続補正１】
【補正対象書類名】特許請求の範囲
【補正対象項目名】全文
【補正方法】変更
【補正の内容】
【特許請求の範囲】
【請求項１】
扇風機に吊り金具を４段取り付け１から３段目までにペットボトルを氷らせたもの又は保冷材氷らせたものやドライアイスを乗せる、４段目は水受けとする、扇風機を運転させ冷風を送る冷風扇風機の部品。
【手続補正２】
【補正対象書類名】明細書
【補正対象項目名】全文
【補正方法】変更
【補正の内容】
【発明の詳細な説明】
【技術分野】
【０００１】本発明は、扇風機の風を冷風に変える冷風扇風機に関するものである。
【背景技術】
【０００２】従来、扇風機は部屋の温度の風しか送れなかった
【発明の開示】
【発明が解決しようとする課題】
【０００３】そのために、次のような問題点があった。
（イ）扇風機は部屋の温度の風しか送れなかった
本発明は以上の問題点を解決しようとするものである
【課題を解決するための手段】
【０００４】扇風機の風の出口に氷ったペットボトルや氷った保冷材、ドライアイスを吊り下げ金具に乗せて冷風を送る。以上を特徴とする冷風扇風機である。
【発明の効果】
【０００５】本発明は、簡単に扇風機の風を冷風に変えることが出来る
【発明を実施するための最良の形態】
【０００６】以下、本発明の実施の形態を説明する。
（イ）扇風機に４段の吊り下げ金具（１）を取り付ける
（ロ）１から３段目までに氷ったペットボトルやドライアイス又，凍った保冷剤やドライアイスを乗せる
（ハ）扇風機を運転する
本発明を使用する時には、つり下金具に  １から３段に氷ったペットボトルやドライアイス又は氷った保冷剤、を３段目までにのせる。
４段目に結露のしずくを受ける。扇風機を運転させ冷風をおくる。
【図面の簡単な説明】
【０００７】
【図１】  本発明の斜視図
【符号の説明】１  吊り金具
２  載せる台
３  結露のしずくを受ける台
【手続補正３】
【補正対象書類名】図面
【補正対象項目名】全図
【補正方法】変更
【補正の内容】
【図１】
2013032760.tif 000005
(57)【要約】【課題】スターリング発電機で電力不足を解決する。【解決手段】太陽光レンズでスターリング発電機を使い発電する。【選択図】図１
2013032763.tif 000002
【特許請求の範囲】
【請求項１】
太陽光レンズで光を集めその熱でスターリング発電する。
【発明の詳細な説明】
【技術分野】
【０００１】発電機
【発明の概要】
【発明が解決しようとする課題】
【０００２】スターリング発電機で電力不足を解決する。
【課題を解決するための手段】スターリング発電機で発電する。
【発明の効果】電力不足が解消される。
【図面の簡単な説明】
【０００３】
【図１】本発明の実施形態を示す太陽光レンズ発電機の図面。
【図１】
2013032763.tif 000003
(57)【要約】【課題】スターリング発電機で電力不足を解決する。【解決手段】太陽光スターリング発電機で発電する。【選択図】図１
2013032761.tif 000002
【特許請求の範囲】
【請求項１】
水蒸気や、貫流状態によるスターリング発電も含む。
【請求項２】
マグマだまりにスターリング発電機の先端部を近ずけ発電する。
【請求項３】
地熱による温泉を利用してスターリング発電する。
【請求項４】
三角形のパネルで太陽光を集めスターリング発電する。
三角形のパネルでお湯をわかし、このお湯もしくは、この水蒸気でスターリング発電する。
【請求項５】
乾燥機によるスターリング発電を含む。
【発明の詳細な説明】
【技術分野】
【０００１】発電機
【発明の概要】
【発明が解決しようとする課題】
【０００２】スターリング発電機で電力不足を解決する。
【課題を解決するための手段】スターリング発電機で発電する。
【発明の効果】電力不足が解消される。
【図面の簡単な説明】
【０００３】
【図１】本発明の実施形態を示す発電機の図面
【図１】
2013032761.tif 000003
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
水蒸気や、貫流状態によるスターリング発電も含む。
【請求項２】
マグマだまりにスターリング発電機の先端部を近ずけ発電する。
【請求項３】
地熱による温泉を利用してスターリング発電する。
【請求項４】
太陽光で、お湯を沸かせる機械に、ソーラークッカーがあります。
また、熱源でエンジンを回すものに、スターリングエンジンがあります。
このソーラークッカーのパネルで作る（または、集める）熱で、このスターリングエンジンを回し発電する。
また、このパネルでお湯をわかし、このお湯もしくは、この水蒸気でスターリング発電する。
【請求項５】
乾燥機によるスターリング発電を含む。
【請求項６】
工業炉，脱臭炉，発電ボイラー，ボイラーによるスターリング発電。
宇宙，宇宙基地，人工衛星による太陽光スターリング発電を含む。
(57)【要約】【課題】  頭頂部のハゲをなくすことである。【解決手段】  頭部をたてに反復運動することによって、首の筋肉に負荷を与えることである。【選択図】図１
2013032329.tif 000002
【特許請求の範囲】
【請求項１】
頭部をたてに反復運動することによって、首の筋肉に負荷を与えること。
【発明の詳細な説明】
【技術分野】
【０００１】  本発明は、頭頂部の毛が薄いのを育毛によって頭頂部の毛が薄くなったものを回復するものである。頭部をたてに反復運動することによって、首の筋肉に負荷を与える。そうすると、首の血流量が増し、頭頂部の血流を増やすことによって育毛させるという考えである。
【背景技術】
【０００２】  多種の育毛剤が製薬会社から出されているが、効果が出されていない。
【発明の概要】
【発明が解決しようとする課題】
【０００３】  頭部の毛髪が生えることによって、ハゲをなくすということである。
【課題を解決するための手段】
【０００４】  頭部をたてに反復運動することによって、頭頂部から毛をはやすことである。
【発明の効果】
【０００５】  頭頂部のハゲがなくなるということである。
【図面の簡単な説明】
【０００６】
【図１】運動方法を示したものである。
【発明を実施するための形態】
【０００７】  頭頂部から髪を生やすことを頭部のたて反復運動によって実現した。
【実施例】
【０００８】  特許出願人尾関一が頭部をたてに反復運動することによって、頭頂部の頭髪が生えてきたもの。
【図１】
2013032329.tif 000003